(57)【要約】【課題】途中の操作画面を省略して所望の画面を直ちに表示すると、どのような階層を経てかかる操作画面に到達したのかユーザには判別できない。したがって、ユーザは、同一画面を再度表示する場合には、再び操作マニュアルを表示させて携帯端末から指示を送信する必要が生じる。ユーザが繰り返し機器を操作しても、操作への習熟を図れないことが課題となっていた。【解決手段】操作手順に従って複数のコマンドを間欠的に電子装置に各々送信する。これにより、電子装置において操作手順に従って複数のコマンドが間欠的に実行され、操作画面が段階的に表示されるため、目的とする操作画面を表示するまでの操作手順をユーザが把握できる。【選択図】図１
2015069428.tif 000002
【特許請求の範囲】
【請求項１】
電子装置と通信可能な通信装置であって、
前記電子装置は、ユーザ操作に応じて段階的に操作画面を表示し、所定の操作手順に従った複数のユーザ操作を受け付けた場合に、所定の機能を実現又は所定の機能のための操作画面を表示するものであり、
前記操作手順に従った前記複数のユーザ操作にそれぞれ対応する複数のコマンドを記憶する記憶手段と、
前記操作手順に従って前記複数のコマンドを間欠的に前記電子装置に各々送信する送信手段と、
を備えることを特徴とする通信装置。
【請求項２】
請求項１に記載の通信装置において、
前記複数のコマンドが各々送信される送信間隔をユーザ設定に応じて変更する変更手段、
をさらに備え、
前記送信手段は、変更された前記送信間隔で前記コマンドを各々送信することを特徴とする通信装置。
【請求項３】
請求項１に記載の通信装置において、
ユーザの指示が入力される入力手段、
をさらに備え、
前記送信手段は、ユーザの指示が入力される毎に、前記操作手順に従い、前記複数のコマンドのうちの一のコマンドを送信することを特徴とする通信装置。
【請求項４】
請求項１ないし３のいずれかに記載の通信装置において、
前記複数のコマンドのセットを、所定のサーバ装置から受信する受信手段、
をさらに備えることを特徴とする通信装置。
【請求項５】
電子装置と通信可能な通信装置と通信を行うサーバ装置であって、
前記電子装置は、ユーザ操作に応じて段階的に操作画面を表示し、所定の操作手順に従った複数のユーザ操作を受け付けた場合に、所定の機能を実現又は所定の機能のための操作画面を表示するものであり、
前記操作手順に従った前記複数のユーザ操作にそれぞれ対応する複数のコマンドのセットを、前記電子装置の機種毎に記憶する記憶手段と、
指定された電子装置の機種に応じた前記複数のコマンドのセットを前記通信装置に送信する送信手段と、
を備えることを特徴とするサーバ装置。
【請求項６】
電子装置と、前記電子装置と通信可能な通信装置とを含む通信システムであって、
前記電子装置は、
ユーザ操作を受け付ける受付手段と、
前記ユーザ操作に応じて段階的に操作画面を表示し、所定の操作手順に従った複数のユーザ操作を受け付けた場合に、所定の機能を実現した画面又は所定の機能のための操作画面を表示する表示手段と、
を備え、
前記通信装置は、
前記操作手順に従った前記複数のユーザ操作にそれぞれ対応する複数のコマンドを記憶する記憶手段と、
前記操作手順に従って前記複数のコマンドを間欠的に前記電子装置に各々送信する送信手段と、
を備えることを特徴とする通信システム。
【請求項７】
電子装置と通信を行う通信方法であって、
前記電子装置は、ユーザ操作に応じて段階的に操作画面を表示し、所定の操作手順に従った複数のユーザ操作を受け付けた場合に、所定の機能を実現又は所定の機能のための操作画面を表示するものであり、
（ａ）前記操作手順に従った前記複数のユーザ操作にそれぞれ対応する複数のコマンドを取得する工程と、
（ｂ）前記操作手順に従って前記複数のコマンドを間欠的に前記電子装置に各々送信する工程と、
を備えることを特徴とする通信方法。
【請求項８】
電子装置と通信を行う通信装置に含まれるコンピュータによって実行可能なプログラムであって、
前記電子装置は、ユーザ操作に応じて段階的に操作画面を表示し、所定の操作手順に従った複数のユーザ操作を受け付けた場合に、所定の機能を実現又は所定の機能のための操作画面を表示するものであり、
前記コンピュータに、
（ａ）前記操作手順に従った前記複数のユーザ操作にそれぞれ対応する複数のコマンドを取得する工程と、
（ｂ）前記操作手順に従って前記複数のコマンドを間欠的に前記電子装置に各々送信する工程と、
を実行させることを特徴とするプログラム。
【発明の詳細な説明】
【技術分野】
【０００１】
本発明は、ユーザによる操作を支援する技術に関する。
【背景技術】
【０００２】
近年、カーナビゲーション装置等の電子機器は、多機能化、高機能化が進展し、その操作手法は増々複雑化している。さらに、タッチパネル等の採用により操作画面は階層化され、所望の操作画面に到るには、複数回に渡る操作を必要とする。このような電子機器において、操作に習熟していないユーザは、所望の操作画面に容易には到達できない。
【０００３】
そこで、ユーザの所持する携帯端末に電子機器の操作マニュアルを表示させ、かつ途中経過を省略して所望の操作画面を直ちに表示させる技術が提案されている（例えば、特許文献１参照）。これにより、ユーザは操作マニュアルを携帯する必要がなく、また複数回に渡る操作を行わなくとも所望の操作画面へ直ちに到達できる。
【先行技術文献】
【特許文献】
【０００４】
【特許文献１】特開２００９−２７５８６号公報
【発明の概要】
【発明が解決しようとする課題】
【０００５】
しかし、提案された技術のように、途中の操作画面を省略して所望の画面を直ちに表示すると、どのような操作及び階層を経てかかる操作画面に到達したのかユーザには判別できない。したがって、ユーザは、同一画面を再度表示する場合には、再び操作マニュアルを表示させて携帯端末から指示を送信する必要がある。このような技術においては、ユーザが繰り返し機器を操作しても、操作への習熟を図ることができず、課題となっていた。
【０００６】
本発明は、上記課題に鑑み、ユーザの所望する動作を実現又は操作画面を表示させる際、ユーザが車載機器の操作手法を習得し、操作に習熟できる技術を提供することを目的とする。
【課題を解決するための手段】
【０００７】
上記課題を解決するため、請求項１の発明は、電子装置と通信可能な通信装置であって、  前記電子装置は、ユーザ操作に応じて段階的に操作画面を表示し、所定の操作手順に従った複数のユーザ操作を受け付けた場合に、所定の機能を実現又は所定の機能のための操作画面を表示するものであり、前記操作手順に従った前記複数のユーザ操作にそれぞれ対応する複数のコマンドを記憶する記憶手段と、前記操作手順に従って前記複数のコマンドを間欠的に前記電子装置に各々送信する送信手段と、を備える。
【０００８】
また、請求項２の発明は、請求項１に記載の通信装置において、前記複数のコマンドが各々送信される送信間隔をユーザ設定に応じて変更する変更手段、をさらに備え、前記送信手段は、変更された前記送信間隔で前記コマンドを各々送信する。
【０００９】
また、請求項３の発明は、請求項１に記載の通信装置において、ユーザの指示が入力される入力手段、をさらに備え、前記送信手段は、ユーザの指示が入力される毎に、前記操作手順に従い、前記複数のコマンドのうちの一のコマンドを送信する。
【００１０】
また、請求項４の発明は、請求項１ないし３のいずれかに記載の通信装置において、前記複数のコマンドのセットを、所定のサーバ装置から受信する受信手段、をさらに備える。
【００１１】
また、請求項５の発明は、電子装置と通信可能な通信装置と通信を行うサーバ装置であって、前記電子装置は、ユーザ操作に応じて段階的に操作画面を表示し、所定の操作手順に従った複数のユーザ操作を受け付けた場合に、所定の機能を実現又は所定の機能のための操作画面を表示するものであり、前記操作手順に従った前記複数のユーザ操作にそれぞれ対応する複数のコマンドのセットを、前記電子装置の機種毎に記憶する記憶手段と、指定された電子装置の機種に応じた前記複数のコマンドのセットを前記通信装置に送信する送信手段と、を備える。
【００１２】
また、請求項６の発明は、電子装置と、前記電子装置と通信可能な通信装置とを含む通信システムであって、前記電子装置は、ユーザ操作を受け付ける受付手段と、前記ユーザ操作に応じて段階的に操作画面を表示し、所定の操作手順に従った複数のユーザ操作を受け付けた場合に、所定の機能を実現した画面又は所定の機能のための操作画面を表示する表示手段と、を備え、前記通信装置は、前記操作手順に従った前記複数のユーザ操作にそれぞれ対応する複数のコマンドを記憶する記憶手段と、前記操作手順に従って前記複数のコマンドを間欠的に前記電子装置に各々送信する送信手段と、を備える。
【００１３】
また、請求項７の発明は、電子装置と通信を行う通信方法であって、前記電子装置は、ユーザ操作に応じて段階的に操作画面を表示し、所定の操作手順に従った複数のユーザ操作を受け付けた場合に、所定の機能を実現又は所定の機能のための操作画面を表示するものであり、（ａ）前記操作手順に従った前記複数のユーザ操作にそれぞれ対応する複数のコマンドを取得する工程と、（ｂ）前記操作手順に従って前記複数のコマンドを間欠的に前記電子装置に各々送信する工程と、を備える。
【００１４】
また、請求項８の発明は、電子装置と通信を行う通信装置に含まれるコンピュータによって実行可能なプログラムであって、前記電子装置は、ユーザ操作に応じて段階的に操作画面を表示し、所定の操作手順に従った複数のユーザ操作を受け付けた場合に、所定の機能を実現又は所定の機能のための操作画面を表示するものであり、前記コンピュータに、（ａ）前記操作手順に従った前記複数のユーザ操作にそれぞれ対応する複数のコマンドを取得する工程と、（ｂ）前記操作手順に従って前記複数のコマンドを間欠的に前記電子装置に各々送信する工程と、を実行させる。
【発明の効果】
【００１５】
請求項１ないし４、及び、請求項６ないし８の発明によれば、電子装置において操作手順に従って複数のコマンドが間欠的に実行されることで、操作画面が段階的に表示されるため、所定の機能を実現又は目的とする操作画面を表示するまでの操作手順をユーザが理解することができる。
【００１６】
また、特に請求項２の発明によれば、ユーザは、自らの所望する間隔で、電子装置にコマンドを送信して実行させることができる。
【００１７】
また、特に請求項３の発明によれば、ユーザは、自らの所望するタイミングで、電子装置にコマンドを送信して実行させることができる。
【００１８】
また、特に請求項４の発明によれば、複数のコマンドのセットを所定のサーバ装置から受信するので、通信装置は複数のコマンドのセットを予め記憶する必要がない。
【００１９】
また、請求項５の発明によれば、電子装置の機種に応じた複数のコマンドのセットを通信装置に提供できる。
【図面の簡単な説明】
【００２０】
【図１】図１は、通信システムの概要を示す図である。
【図２】図２は、第１の実施の形態の携帯端末の構成を示す図である。
【図３】図３は、第１の実施の形態の車載機器の構成を示す図である。
【図４】図４は、第１の実施の形態のサーバの構成を示す図である。
【図５】図５は、第１の実施の形態の処理手順を示す図である。
【図６】図６は、第１の実施の形態の処理手順を示す図である。
【図７】図７は、第１の実施の形態の処理手順を示す図である。
【図８】図８は、携帯端末に操作マニュアルが表示された例である。
【図９】図９は、車載機器の画面遷移の例である。
【図１０】図１０は、車載機器の画面遷移の例である。
【図１１】図１１は、第２の実施の形態の携帯端末の構成を示す図である。
【図１２】図１２は、第２の実施の形態の携帯端末の処理手順を示す図である。
【図１３】図１３は、待機時間を変更する画面の例である。
【図１４】図１４は、第３の実施の形態の携帯端末の構成を示す図である。
【図１５】図１５は、第３の実施の形態の処理手順を示す図である。
【図１６】図１６は、通信システムの変形例を示す図である。
【発明を実施するための形態】
【００２１】
以下、図面を参照しつつ本発明の実施の形態について説明する。
【００２２】
＜１．第１の実施の形態＞
＜１−１．概要＞
図１は、第１の実施の形態における携帯端末１及び車載機器２を含む通信システム１０の概要を示す。
【００２３】
携帯端末１は、スマートフォンや携帯電話等の可搬性の通信装置であり、ユーザにより車両内外にて情報通信に利用される。
【００２４】
車載機器２は、カーナビゲーション装置等の車両に搭載される電子装置である。また、車載機器２は、携帯端末とデータの送受信を行う通信装置としても機能する。
【００２５】
通信システム１０は、このような携帯端末１と車載機器２とが情報通信を行うことにより、システムとして形成される。
【００２６】
サーバ３は、様々なコンテンツを記憶し、ネットワーク４を介して携帯端末１とコンテンツの送受信を行う。コンテンツは、画像データや音楽データのほか、車載機器２の操作マニュアルや車載機器２を操作する操作コマンドを含む。
【００２７】
ユーザは、車載機器２に合致した操作マニュアル用アプリケーションを所定のサーバからダウンロードし、携帯端末１に記憶させる。ユーザは、かかるアプリケーションを起動し、所望する操作を説明する操作マニュアルを携帯端末１に表示させる。
【００２８】
操作マニュアルを表示させた状態で、ユーザがタッチパネルの開始スイッチをタッチ操作すると、操作コマンドが順次、間隔を空けて車載機器２に送信される。車載機器２はコマンドを受信する毎に、かかるコマンドを実行していく。
【００２９】
その結果、車載機器２において画面が順次遷移し、所望の機能を実行する操作画面が表示される。または、所望の機能自体が実行される。なお、画面が遷移する際、タッチスイッチはユーザによりタッチ操作された表示となる。すなわち、ハイライト表示等となる。
【００３０】
ユーザは、遷移する操作画面をディスプレイ２４上で参照することで、操作手順を把握でき、再度同様の画面を表示させようとする場合、把握した操作手順に従って自ら操作することが可能となる。
【００３１】
また、ユーザが操作手順に習熟することで、再度操作マニュアルを参照する必要がないうえ、携帯端末１で車載機器２を操作する煩雑さを除去できる。
【００３２】
＜１−２．構成＞
次に、携帯端末１及び車載機器２を備える通信システム１０の構成について、詳細に説明する。まず、携帯端末１の構成を説明する。図２は、携帯端末１の構成を示す。
【００３３】
携帯端末１は、可搬性の通信装置であり、ユーザにより自動車等の車両内外において情報通信に利用される。例えば、スマートフォンや携帯電話である。携帯端末１は、通信機能を利用し、車載機器２やサーバ３と情報通信を行う。また、携帯端末１は、所定のサーバからダウンロードしたアプリケーションを実行する機能を有する。また、携帯端末１は、端末全体を制御する制御部１１、通信部１２、ディスプレイ１３、記憶部１４、及び連携部１５を備える。
【００３４】
制御部１１は、ＣＰＵ、ＲＡＭ、及びＲＯＭを備えたマイクロコンピュータである。制御部１１は、携帯端末１が備える他の構成と接続され、機器全体を制御する。なお、制御部１１が備える各機能は後述する。
【００３５】
通信部１２は、無線通信を利用した通信機能を備え、ネットワーク４にアクセスしてサーバ３と情報通信を行う。例えば、ＷｉＭＡＸ（Worldwide Interoperability for Microwave Access）やＬＴＥ（Long Term Evolution）等の無線通信技術を利用した情報通信である。
【００３６】
ディスプレイ１３は、文字や図形等の各種情報を表示し、ユーザに情報を視覚的に提示する。例えば、液晶ディスプレイや、プラズマディスプレイ、有機ＥＬディスプレイ等の表示装置である。ディスプレイ１３は、タッチパネル１３ａを備える。
【００３７】
タッチパネル１３ａは、ディスプレイ１３に表示されたボタン領域へのユーザの接触を感知し、感知した位置情報を制御部１１へ送信する。
【００３８】
記憶部１４は、データを記憶するメモリである。例えば、ＥＥＰＲＯＭ（Electrical Erasable Programmable Read-Only memory）や、フラッシュメモリ、磁気ディスクを備えたハードディスクドライブ等の不揮発性の記憶媒体である。また、記憶部１４は、待機時間データ１４ａ及びプログラム１４ｂを記憶している。また、記憶部１４は、サーバ３から送信されたコンテンツを記憶する。
【００３９】
待機時間データ１４ａは、携帯端末１が操作コマンドを車載機器２に送信する間隔を規定する時間データである。
【００４０】
プログラム１４ｂは、制御部１１により読み出され、制御部１１が携帯端末１を制御するために実行されるファームウェアである。また、プログラム１４ｂは、サーバからダウンロードしたアプリケーションのプログラムである。
【００４１】
連携部１５は、小電力無線通信を利用した通信機能を備え、近距離に存在する車載機器２と情報通信を行う。例えば、Ｗｉ−Ｆｉ（Wireless Fidelity）等の無線ＬＡＮ技術やブルートゥース（Bluetooth）（登録商標）等の近距離無線通信規格を利用した情報通信である。
【００４２】
前述の制御部１１が備える各機能を説明する。制御部１１は、情報取得部１１ａ、表示制御部１１ｂ、コマンド送信部１１ｃ、及び計時部１１ｄを備える。
【００４３】
情報取得部１１ａは、通信部１２及び連携部１５を制御し、車載機器２及びサーバ３と各種情報の送受信を行う。
【００４４】
表示制御部１１ｂは、画像や文字等のデータをディスプレイ１３に表示する。また、表示制御部１１ｂは、タッチパネル１３ａに入力されるタッチ位置に基づき、ディスプレイ１３に表示する画像等を変化させる。
【００４５】
コマンド送信部１１ｃは、後述の操作コマンドを連携部１５を介して車載機器２に送信する。なお、操作コマンドについては後述する。
【００４６】
計時部１１ｄは、コマンド送信部１１ｃが操作コマンドを送信後の経過時間を計測するタイマーである。
【００４７】
次に、車載機器２の構成を説明する。車載機器２は、車両に搭載される電子装置である。例えば、カーナビゲーション装置やカーオーディオ装置等である。また、車載機器２は、ユーザの操作に応じて段階的にディスプレイに操作画面を表示し、所定の操作手順に従った複数の操作を受け付けると、所定の機能のための操作画面を表示する。すなわち、車載機器２は、多階層かつ多種類の操作画面を備え、各操作画面における操作に対応し、他の操作画面への遷移や動作を行う機器である。なお、車載機器２は、車両に固定的に設置される機器のほか、利用の度に車両に持ち込まれて使用される可搬性の機器でもよい。図３は、車載機器２の構成を示す。車載機器２は、機器全体を制御する制御部２１、連携部２２、スイッチ２３、ディスプレイ２４、及び記憶部２５を備える。
【００４８】
制御部２１は、ＣＰＵ、ＲＡＭ、及びＲＯＭを備えたマイクロコンピュータである。制御部２１は、携帯端末１が備える他の構成と接続され、機器全体を制御する。なお、制御部２１が備える各機能は後述する。
【００４９】
連携部２２は、小電力無線通信を利用した通信機能を備え、近距離に存在する車載機器２と情報通信を行う。例えば、Ｗｉ−Ｆｉ（Wireless Fidelity）等の無線ＬＡＮ技術やブルートゥース（Bluetooth）（登録商標）等の近距離無線通信規格を利用した情報通信である。
【００５０】
スイッチ２３は、ユーザにより押下され、機械的に作動する押しボタンである。すなわち、ハードウェア型のスイッチ機構である。スイッチ２３は、ユーザにより押下されると、入力信号を制御部２１に送信する。
【００５１】
ディスプレイ２４は、文字や図形等の各種情報を表示し、ユーザに情報を視覚的に提示する。例えば、液晶ディスプレイや、プラズマディスプレイ、有機ＥＬディスプレイ等の表示装置である。ディスプレイ２４は、タッチパネル２４ａを備える。
【００５２】
タッチパネル２４ａは、ディスプレイ１３に表示されたボタン領域へのユーザの接触を感知し、感知した位置情報を制御部２１へ送信する。
【００５３】
記憶部２５は、データを記憶するメモリである。例えば、ＥＥＰＲＯＭ（Electrical Erasable Programmable Read-Only memory）や、フラッシュメモリ、磁気ディスクを備えたハードディスクドライブ等の不揮発性の記憶媒体である。また、記憶部２５は、機種データ２５ａ及びプログラム２５ｂを記憶している。
【００５４】
機種データ２５ａは、車載機器２の種別を示すデータである。機器の種別は、機器の年式や型式を特定する。具体的には、該当する機器の操作画面のデザインや、操作方法、処理を実行させるコマンド体系等を特定する。
【００５５】
プログラム２５ｂは、制御部２１により読み出され、制御部２１が車載機器２を制御するために実行されるファームウェアである。
【００５６】
前述の制御部２１が備える各機能を説明する。制御部２１は、コマンド受信部２１ａ及び表示制御部２１ｂを備える。
【００５７】
コマンド受信部２１ａは、連携部２２を介し、携帯端末１からコンテンツを受信する。
【００５８】
表示制御部２１ｂは、画像や文字等のデータをディスプレイ２４に表示する。また、表示制御部２１ｂは、タッチパネル２４ａに入力されるタッチ位置に基づき、ディスプレイ２４に表示する画像等を変化させる。
【００５９】
次に、サーバ３の構成を説明する。サーバ３は、携帯端末１にデータやサービスを提供するコンピュータ（サーバ装置）である。図４は、サーバ３の構成を示す。サーバ３は、制御部３１、通信部３２、及び記憶部３３を備える。
【００６０】
制御部３１は、ＣＰＵ、ＲＡＭ、及びＲＯＭを備えたマイクロコンピュータである。制御部３１は、サーバ３が備える他の構成と接続され、装置全体を制御する。なお、制御部３１が備える機能は後述する。
【００６１】
通信部３２は、有線又は無線の通信機能を備え、ネットワーク４に接続して携帯端末１と情報通信を行う。
【００６２】
記憶部３３は、データを記憶するメモリである。例えば、磁気ディスクを備えたハードディスクドライブ等の不揮発性の記憶媒体である。記憶部３３は、コンテンツ３３ａ、機種対照テーブル３３ｄ、及びプログラム３３ｅを記憶している。
【００６３】
コンテンツ３３ａは、ネットワーク４を介し、携帯端末１へ提供するデータである。コンテンツ３３ａは、操作マニュアル３３ｂ及び操作コマンド３３ｃを含む。
【００６４】
操作マニュアル３３ｂは、車載機器２を操作する手法を記載した操作手順書を内容とする文字や図形を含むデータである。操作マニュアル３３ｂは、車載機器２の機種毎に記憶部３３に記憶される。
【００６５】
操作コマンド３３ｃは、車載機器２に所定の処理の実行を指示する命令語である。一の操作コマンド３３ｃは、ユーザの車載機器２に対する一の操作に該当する。車載機器２は、操作コマンド３３ｃを受信すると、操作コマンド３３ｃで指示される所定の処理を実行する。なお、操作コマンド３３ｃは、タッチパネルへのタッチを指示する場合、ディスプレイ上の座標情報を含む。また、操作コマンド３３ｃは、車載機器２のハードウェア型スイッチの動作を指示する場合、スイッチの名称情報を含む。
【００６６】
また、操作コマンド３３ｃは、操作マニュアルに基づく操作手順に応じた複数のコマンドのセット（集合）である場合がある。以下、「操作コマンド」と述べた場合、「複数の操作コマンドのセット」を示す場合がある。
【００６７】
機種対照テーブル３３ｄは、車載機器２の機種名と、かかる機種名の車載機器２で利用される操作マニュアル及び操作コマンドとを対照的に示すデータテーブルである。制御部３１は、機種対照テーブル３３ｄを参照することで、所定の機種で利用される操作マニュアル及び操作コマンドを特定する。なお、操作マニュアル及び操作コマンドによっては、複数の機種に渡って利用される場合がある。また、操作マニュアルと操作コマンドとは、それぞれ異なる機種に利用される場合がある。したがって、車載機器２の機種名と操作マニュアル及び操作コマンドとは、複雑な対照関係となる場合がある。このような機種対照テーブル３３ｄを参照し、所定の機種で利用される操作マニュアル及び操作コマンドを特定することは、操作マニュアル及び操作コマンドの読み出し処理に有用である。
【００６８】
プログラム３３ｅは、制御部３１により読み出され、制御部３１がサーバ３を制御するために実行されるファームウェアである。
【００６９】
制御部３１が備える機能を説明する。制御部３１は、コンテンツ送信部３１ａを備える。コンテンツ送信部３１ａは、所定の機種で利用される操作マニュアル３３ｂ及び操作コマンド３３ｃを内容とするコンテンツ３３ａを記憶部３３から読み出し、携帯端末１に送信可能な形式に編集する。そして、編集したコンテンツ３３ａを通信部３２を介して携帯端末１へ送信する。
【００７０】
＜１−３．処理＞
次に、携帯端末１、車載機器２、及びサーバ３の処理手順を説明する。図５及び図６は、携帯端末１、車載機器２、及びサーバ３の処理手順を示す。本処理は、携帯端末１に対するユーザの操作を契機として開始される。
【００７１】
まず、ユーザが携帯端末１のタッチパネル１３ａ等を操作し、所定のアプリケーションを起動させる（図５のステップＳ１０１）。かかるアプリケーションは、車載機器２の操作マニュアルを携帯端末１に表示させ、車載機器２を操作するためのアプリケーションである。ユーザは予めネットワーク４を介し、所定のサーバからアプリケーションを携帯端末１にダウンロードすればよい。
【００７２】
アプリケーションが起動すると、携帯端末１の連携部１５は、車載機器２とデータの送受信が行えるよう、車載機器２の連携部２２と通信の連携処理を行う（ステップＳ１０２）。
【００７３】
次に、携帯端末１の情報取得部１１ａは、連携部１５による車載機器２の連携部２２との連携処理が成功したか否かを判断する（ステップＳ１０３）。
【００７４】
情報取得部１１ａが連携処理は不成功と判断すると（ステップＳ１０３でＮｏ）、表示制御部１１ｂは、ディスプレイ１３に車載機器２の機種入力画面を表示する（ステップＳ１０４）。ディスプレイ１３に機種入力画面が表示されると、ユーザは車載機器２の機種番号を確認し、タッチパネル１３ａを用いて機種番号を入力する。なお、機種入力画面を表示する代わりに、機種一覧表（リスト）を表示し、ユーザが表示された機種番号をタッチ操作して機種番号の入力を行ってもよい。
【００７５】
一方、携帯端末１と車載機器２とで連携処理が成功したと判断されると（ステップＳ１０３でＹｅｓ）、又はユーザにより機種番号が入力されると、携帯端末１の情報取得部１１ａは、連携部１５を介し、車載機器２に対して機種データを送信するよう要求する（ステップＳ１０５）。
【００７６】
車載機器２の制御部２１は、携帯端末１から機種データの送信要求を受信すると、記憶部２５から機種データ２５ａを読み出し、携帯端末１へ送信する（ステップＳ２０１）。
【００７７】
機種データ２５ａが携帯端末１へ送信されると、情報取得部１１ａは、機種データ２５ａに該当するコンテンツが記憶部１４に既に記憶されているか否か判断する（ステップＳ１０６）。
【００７８】
情報取得部１１ａは、コンテンツが記憶部１４に記憶されていると判断すると（ステップＳ１０６でＹｅｓ）、当該コンテンツが最新版であるか否か判断する（ステップＳ１０７）。最新版の版数情報は、サーバ３から別途受信しておけばよい。例えば、携帯端末１は、アプリケーションの起動直後に、最新版の版数情報をサーバ３から受信するようにすればよい。
【００７９】
情報取得部１１ａは、コンテンツが記憶部１４に記憶されていないと判断する場合（ステップＳ１０６でＮｏ）、及びコンテンツが最新版でないと判断する場合（ステップＳ１０７でＮｏ）、車載機器２で利用されるコンテンツ（操作マニュアル及び操作コマンド）を送信するよう、通信部１２を介してサーバ３へ要求する（ステップＳ１０８）。この際、情報取得部１１ａは、コンテンツが最新版であると判断すると（ステップＳ１０７でＹｅｓ）、サーバ３へコンテンツの送信要求は行わず、後述のステップＳ１０９（図６）を実行する。
【００８０】
サーバ３のコンテンツ送信部３１ａは、携帯端末１からコンテンツの送信要求を受信すると、記憶部３３の機種対照テーブル３３ｄを参照し、当該機種で利用される操作マニュアル及び操作コマンドを内容とするコンテンツ３３ａを記憶部３３から読み出す（ステップＳ３０１）。
【００８１】
コンテンツ送信部３１ａは、読み出したコンテンツ３３ａを携帯端末１へ送信する（図６のステップＳ３０２）。
【００８２】
携帯端末１の情報取得部１１ａは、操作マニュアル及び操作コマンドを含むコンテンツ３３ａをサーバ３から受信すると、コンテンツ３３ａを記憶部１４に記憶させる。すなわち、操作手順となる操作マニュアル３３ｂ、及び操作手順に従った複数の操作にそれぞれ対応する複数のコマンドを記憶する。そして、表示制御部１１ｂが、コンテンツ３３ａに含まれる操作マニュアル３３ｂをディスプレイ１３に表示させる（ステップＳ１０９）。
【００８３】
操作マニュアル３３ｂのディスプレイ１３における初期表示は、操作メニュー画面である。ユーザは、操作メニュー画面から所望の操作を選択する。なお、操作メニューは、機能的な項目に分類して表示することが好ましい。ユーザが所望の操作を直感的に選択できるからである。なお、機能的な項目とは、利用状況（シチュエーション）や利用場面（シーン）に合わせた項目である。例えば、「ナビを使う」や、「オーディオを操作する」、「電話をかける」等である。
【００８４】
ここで、携帯端末１のディスプレイ１３に表示される操作マニュアル３３ｂの例について説明する。図８は、携帯端末１のディスプレイ１３に操作マニュアル３３ｂが表示された画面の例である。図８で示す操作マニュアル３３ｂは、スイッチ照明のカラーをユーザの好みに合わせて設定するために、ユーザがどのようなボタンを操作すべきかを示す。すなわち、スイッチ照明のカラーを設定するために、スイッチの「ＭＥＮＵ」（ＴＢ１）を押下後、タッチパネルのボタンである「設定・編集」（ＴＢ２）、「共通設定」（ＴＢ３）、及び「設定」（ＴＢ４）を順次タッチすれば、スイッチ照明のカラーの設定画面に到達する旨を示す。このように、ユーザは携帯端末１のディスプレイ１３で車載機器２の操作マニュアル３３ｂを参照できる。
【００８５】
図６を再度参照する。操作マニュアル３３ｂがディスプレイ１３に表示されると、携帯端末１のコマンド送信部１１ｃは、表示された操作マニュアルに該当する操作コマンドを車載機器２に送信するか否か判断する（ステップＳ１１０）。かかる判断は、操作コマンドを車載機器２に送信すべき操作がユーザによりタッチパネル１３ａへ入力されたか否かにより行われる。
【００８６】
コマンド送信部１１ｃが操作コマンドを車載機器２に送信しないと判断すると（ステップＳ１１０でＮｏ）、表示制御部１１ｂは、操作マニュアル３３ｂをディスプレイ１３に継続して表示させる。
【００８７】
一方、コマンド送信部１１ｃは、操作コマンドを車載機器２に送信すると判断すると（ステップＳ１１０でＹｅｓ）、初期化コマンドを車載機器２へ送信する（ステップＳ１１１）。なお、初期化コマンドを車載機器２に送信するか否かの判断は、コマンド送信部１１ｃが、例えば図８に示す所定のタッチパネルボタン１３ａａをユーザがタッチしたか否かにより判断すればよい。
【００８８】
初期化コマンドとは、操作の基準となる画面に移行させるコマンドである。各操作コマンドがタッチパネルの位置座標を含むものである場合、基準画面からコマンドの実行を行うことで、タッチパネルの示す操作ボタン位置と操作コマンドの含むディスプレイ上の座標位置とを整合させるためである。
【００８９】
初期化コマンドが送信される時点では、ディスプレイにどのような画面が表示されているか不明のため、基準となる画面に移行させるためのボタンの座標位置も不明である。したがって、初期化コマンドには、タッチパネル１３ａの座標位置ではなく、車載機器２のハードウェアスイッチ２３の名称情報が含まれる。このため、初期化コマンドを受信した車載機器２の制御部２１は、ハードウェアスイッチ２３が押された場合に実行されるべき処理を行う。なお、基準画面は、例えば、ナビゲーションにおける車両の現在位置を示す画面である。
【００９０】
コマンド送信部１１ｃは、初期化コマンドを送信すると、続いて操作コマンドを車載機器２に送信する（ステップＳ１１２）。なお、車載機器２へ送信すべき操作コマンドが複数ある場合には、コマンド送信部１１ｃは、一連の操作手順のうち最先に実行されるべき操作コマンドを一つ送信する。例えば、図８においてスイッチ「ＴＢ１」を押下して実行される操作コマンドである。
【００９１】
車載機器２のコマンド受信部２１ａが操作コマンドを受信すると、表示制御部２１ｂが操作コマンドを実行し（ステップＳ２０２）、ディスプレイ２４の表示を更新する。なお、ステップＳ２０２の詳細な処理内容は後述する。
【００９２】
次に、コマンド送信部１１ｃは、一連の操作にかかる全ての操作コマンドを車載機器２に送信したか否か判断する（ステップＳ１１３）。
【００９３】
コマンド送信部１１ｃは、全ての操作コマンドを送信していないと判断すると（ステップＳ１１３でＮｏ）、計時部１１ｄを参照し、直近の操作コマンドを送信してからの経過時間を検出する。
【００９４】
次に、コマンド送信部１１ｃは、直近の操作コマンドを送信してからの経過時間が所定の待機時間を経過したか否か判断する（ステップＳ１１４）。待機時間は、複数の操作コマンドが実行されることにより画面が遷移する時間間隔である。例えば、１秒である。ただし、ユーザが画面の遷移を把握できる時間であればよい。
【００９５】
コマンド送信部１１ｃは、直近の操作コマンドを送信してからの経過時間が所定の待機時間を経過していないと判断すると（ステップＳ１１４でＮｏ）、待機時間の経過を再度判断する。すなわち、コマンド送信部１１ｃは、待機時間が経過するまで、操作コマンドの送信を待機する。
【００９６】
一方、コマンド送信部１１ｃは、直近の操作コマンドを送信してからの経過時間が所定の待機時間を経過したと判断すると（ステップＳ１１４でＹｅｓ）、操作コマンドを車載機器２へ送信する（ステップＳ１１２）。この際、車載機器２へ送信すべき操作コマンドは、一連の操作コマンドのうち次に実行されるべきコマンドである。例えば、図８においてボタン「ＴＢ２」をタッチして実行されるコマンドである。
【００９７】
コマンド送信部１１ｃが一連の操作コマンドの全てを個々に送信されるまで、すなわち、図８において示す「ＴＢ１」ないし「ＴＢ４」に相当するコマンドを送信するまで、上述のステップＳ１１２、ステップＳ１１３、ステップＳ１１４、及びステップＳ２０２が繰り返し実行される。これにより、コマンド送信部１１ｃは、操作手順に従って複数のコマンドを待機時間に応じて間欠的に車載機器２に各々送信し、車載機器２では間欠的にコマンドが実行される。
【００９８】
コマンド送信部１１ｃが全ての操作コマンドを送信したと判断すると（ステップＳ１１３でＹｅｓ）、本処理は終了する。
【００９９】
次に、車載機器２のステップＳ２０２における処理の詳細について説明する。ステップＳ２０２は、車載機器２のコマンド受信部２１ａが携帯端末１から初期化コマンド及び操作コマンドを受信する度に実行される。
【０１００】
処理が開始されると、コマンド受信部２１ａは、初期化コマンドを受信したか否か判断する（ステップＳ２０２ａ）。なお、コマンド受信部２１ａは、受信したコマンドに操作すべきハードウェアスイッチの名称が含まれている場合は、受信したコマンドを初期化コマンドと判別する。また、コマンド受信部２１ａは、受信したコマンドに操作すべきタッチスイッチの座標が含まれている場合は、受信したコマンドを操作コマンドと判断する。      
【０１０１】
コマンド受信部２１ａが初期化コマンドを受信したと判断すると（ステップＳ２０２ａでＹｅｓ）、表示制御部２１ｂは、初期化コマンドに含まれる名称のスイッチが押下された場合に実行される処理を行う（ステップＳ２０２ｂ）。例えば、前述の通り、ナビゲーションにおける車両の現在位置を示す画面に移行する処理である。
【０１０２】
一方、コマンド受信部２１ａが初期化コマンドを受信しないと判断すると（ステップＳ２０２ａでＮｏ）、表示制御部２１ｂは、操作コマンドに含まれる座標情報のタッチスイッチがタッチされた場合に実行される処理を行う（ステップＳ２０２ｃ）。表示制御部２１ｂが操作コマンドを実行すると、本処理は終了し、図６の処理に戻る。
【０１０３】
次に、コマンド送信部１１ｃが一連の操作コマンドを車載機器２に送信した際の車載機器２のディスプレイ２４における画面遷移の例について説明する。
【０１０４】
図９及び図１０は、スイッチ照明のカラーをユーザの好みに合わせて設定するために、ユーザが操作すべき一連の操作コマンドが各々送信された際の、車載機器２のディスプレイ２４における画面遷移の例である。画面は、図９から図１０にかけて、操作コマンドの実行に応じて画面１から画面５へ順次遷移する。すなわち、操作の開始画面となる画面１から、所定の機能のための操作画面となる画面５に到る。
【０１０５】
まず、「画面１」として示す画面は、基準画面である。画面１は、車載機器２の「ＭＡＰ」スイッチ２３の押下に相当するコマンドが実行された画面である。タッチパネルの示す操作ボタンの位置と操作コマンドの含む座標位置とを整合させるために、車載機器２は、初期化コマンドを実行し、操作コマンドの実行前に予め定めた基準画面に遷移する。かかる基準画面から操作コマンドの実行は開始される。
【０１０６】
次に、「画面２」として示す画面は、画面１の基準画面において、「メニュー」スイッチＭＳのタッチ操作に相当するコマンドが実行された画面である。メニュー画面においては、複数のタッチパネルボタン２４ａａが表示される。画面２において、待機時間が経過し、次の操作コマンドが送信されて「設定・編集」ボタン２４ａｂのタッチに相当するコマンドが実行されると、画面は画面３へ遷移する。なお、この際、実行されるべき操作ボタンは画面上でハイライト表示される。また、以下の画面遷移においても同様である。操作ボタンのハイライト表示により、ユーザは各画面においてどの操作ボタンを操作すべきか把握できる。
【０１０７】
「画面３」で示される設定・編集画面においては、設定対象となる複数のタッチパネルボタン２４ａｃが表示される。画面３において、待機時間が経過し、次の操作コマンドが送信されて「共通設定」ボタン２４ａｄのタッチに相当するコマンドが実行されると、画面は画面４（図１０）へさらに遷移する。
【０１０８】
「画面４」で示される共通設定画面においては、設定対象となる機能の名称と、各機能に対応する複数のタッチパネルボタン２４ａｅが表示される。画面４において、待機時間が経過し、次の操作コマンドが送信されて「ＬＥＤスイッチ照明」に対応する「設定」ボタン２４ａｆのタッチに相当するコマンドが実行されると、画面は画面５へさらに遷移する。
【０１０９】
「画面５」で示される照明の設定画面においては、設定可能な色彩を示す複数のタッチパネルボタン２４ａｇが表示される。ユーザは、スイッチ照明のカラーを自らの好みに合わせて設定するために、画面５において、所望の色彩を示すタッチパネルボタンをタッチすればよい。
【０１１０】
このようにして、操作画面は、スイッチ照明のカラーをユーザの好みに合わせて設定するための画面５に到達する。すなわち、各操作画面は画面１から画面５へ途中経過を省略せず遷移する。また、各操作画面は操作コマンドが各々送信される待機時間の経過毎に遷移する。さらに、ユーザがタッチすべき操作ボタンは各画面においてハイライト表示される。このため、ユーザは各画面においてどのボタンが操作されているか容易に把握することができる。
【０１１１】
以上のように、第１の実施の形態の携帯端末１は、操作マニュアルに従った複数のユーザ操作にそれぞれ対応する複数の操作コマンドを、操作マニュアルに従って間欠的に車載機器２に各々送信する。これにより、車載機器２において操作手順に従って複数のコマンドが間欠的に実行される。このため、操作画面が段階的に表示され、ユーザは、目的とする操作画面が表示されるまでの操作手順をディスプレイ２４上で確認し、理解することができる。
【０１１２】
また、ユーザは、所望の画面へ到達するために、どのような一連の操作を行うべきか画面上で認識できるため、車載機器２の操作に習熟することが可能となる。
【０１１３】
また、ユーザは少ないタッチ操作で、使用したい機能の操作画面まで自動で誘導されるため、車載機器２の利便性が向上する。
【０１１４】
また、ユーザは製本されたマニュアル冊子を調査し、操作画面と照合させながら操作する手間を除去できる。
【０１１５】
また、車載機器２を操作するのに車載機器２の使用しているコマンド及びタッチ位置を利用するので、車載機器２は少ない設計変更でよい。
【０１１６】
また、所定の機能のための操作画面を表示するので、動作の開始及び操作画面への最終的な操作（確認）をユーザが自ら判断できる。さらに、マニュアル参照時の操作パターンを増加させない。
【０１１７】
＜２．第２の実施の形態＞
＜２−１．概要＞
次に、第２の実施の形態について説明する。前述の第１の実施の形態は、携帯端末１から車載機器２へ待機時間経過毎に操作コマンドを送信した。第２の実施の形態は、ユーザによる待機時間の変更を可能とした。操作コマンドを送信する待機時間は、車載機器２において画面が更新される時間でもある。ユーザにより待機時間の変更を可能とすることで、ユーザの所望の間隔で車載機器２の画面が更新されるので、ユーザは画面の遷移をより認識しやすくなり、車載機器２の操作の習熟がより容易となる。第２の実施の形態は、第１の実施の形態と同様の構成及び処理を含むため、以下、第１の実施の形態との相違点を主に説明する。
【０１１８】
＜２−２．構成＞
まず、第２の実施の形態における携帯端末１の構成について説明する。図１１は、第２の実施の形態の携帯端末１の構成を示す。第１の実施の形態との主な相違点は、携帯端末１の制御部１１が待機時間変更部１１ｅを備える点である。その他の構成は、第１の実施の形態と同様に構成され、また同様に機能する。
【０１１９】
待機時間変更部１１ｅは、タッチパネル１３ａに対するユーザの入力操作に応じ、記憶部１４に記憶されている待機時間データ１４ａを変更する。すなわち、待機時間変更部１１ｅは、複数のコマンドが各々送信される送信間隔をユーザによる設定に応じて変更する。待機時間変更部１１ｅにより待機時間データ１４ａが変更されると、コマンド送信部１１ｃは変更された待機時間に基づき、操作コマンドを送信する。
【０１２０】
＜２−３．処理＞
次に、第２の実施の形態における処理手順を説明する。図１２は、第２の実施の形態における携帯端末１での待機時間を変更する処理手順を示す。
【０１２１】
まず、待機時間変更部１１ｅが、ユーザによるタッチパネル１３ａへの入力操作に基づき、待機時間を変更するか否か判断する（ステップＳ４０１）。かかる判断は、タッチパネル１３ａに所定のボタンを表示しておくことで、待機時間変更部１１ｅがユーザにより当該ボタンにタッチがあったか否かにより判断すればよい。
【０１２２】
待機時間変更部１１ｅが待機時間を変更しないと判断する場合（ステップＳ４０１でＮｏ）、本処理は終了する。ユーザが待機時間の変更を希望しない以上、もはや待機時間の変更処理を継続する必要はない。
【０１２３】
待機時間変更部１１ｅは、待機時間を変更すると判断する場合（ステップＳ４０１でＹｅｓ）、ユーザによるタッチパネル１３ａへの待機時間の変更入力の受け付けを開始する。
【０１２４】
待機時間変更部１１ｅが記憶部１４から待機時間データ１４ａを読み出し（ステップＳ４０２）、表示制御部１１ｂが現在の待機時間をディスプレイ１３に表示させる（ステップＳ４０３）。これにより、ユーザは、現在設定されている待機時間を把握でき、現在の待機時間からどの程度変更すべきか判断可能となる。
【０１２５】
次に、待機時間変更部１１ｅが、ユーザによる待機時間の変更入力の操作を受け付ける（ステップＳ４０４）。変更入力の操作の受け付けは、タッチパネル１３ａに所定のボタンを表示しておくことで、当該ボタンへのタッチ操作の有無により判断すればよい。また、ユーザによる当該ボタンへのタッチ操作に応じ、ディスプレイ１３に表示させた待機時間を変更することが好ましい。ユーザは設定している待機時間を参照しつつ変更入力の操作ができ、ユーザによる待機時間の設定操作を容易にするからである。
【０１２６】
図１３は、このような待機時間の変更入力受け付け画面の例を示す。携帯端末１のディスプレイ１３に、現在設定されている待機時間ＴＩが表示される。ユーザは、待機時間ＴＩの変更ボタン１３ａｂ及び１３ａｃにタッチすることで、表示されている待機時間ＴＩを参照しつつディスプレイ１３上で変更させ、所望の待機時間に変更することができる。
【０１２７】
図１２を再度参照する。待機時間変更部１１ｅは、ユーザによる待機時間の変更入力が完了すると、待機時間データ１４ａを更新する（ステップＳ４０５）。すなわち、待機時間変更部１１ｅは、記憶部１４の待機時間データ１４ａをユーザにより変更された待機時間データで上書きを行う。待機時間変更部１１ｅにより待機時間データ１４ａの更新が行われると、本処理は終了する。
【０１２８】
以上のように、第２の実施の形態は、ユーザによる待機時間の変更を可能とした。ユーザにより待機時間の変更を可能とすることで、ユーザの所望する間隔で、電子装置にコマンドを送信して実行させることができる。これにより、ユーザの所望の間隔で車載機器２の画面が更新されるので、ユーザは画面の遷移をより認識しやすくなり、車載機器２の操作の習熟がより容易となる。
【０１２９】
＜３．第３の実施の形態＞
＜３−１．概要＞
次に、第３の実施の形態について説明する。前述の第１の実施の形態では、待機時間の経過毎に、操作コマンドを携帯端末１から車載機器２へ送信した。これに対し、第３の実施の形態は、ユーザによる操作毎に、操作コマンドを携帯端末１から車載機器２へ送信する。これにより、ユーザは、所望するタイミングで操作コマンドの送信、すなわち操作画面の遷移を行うことができる。したがって、ユーザは、特に習熟を望む画面において十分な時間を費やして画面を吟味、分析でき、車載機器２の操作能力の向上を図ることができる。第３の実施の形態は、第１の実施の形態と同様の構成及び処理を含むため、以下、第１の実施の形態との相違点を主に説明する。
【０１３０】
＜３−２．構成＞
まず、第３の実施の形態における携帯端末１の構成について説明する。図１４は、第３の実施の形態の携帯端末１の構成を示す。第１の実施の形態との主な相違点は、携帯端末１が指示入力部１６を備える点である。その他の構成は、第１の実施の形態と同様に構成され、また同様に機能する。
【０１３１】
指示入力部１６は、ユーザにより押下され、機械的に作動する押しボタンである。指示入力部１６は、ユーザにより押下されると、入力信号を制御部１１に送信する。ユーザは、指示入力部１６を押下することで、携帯端末１に対し操作コマンドを送信すべき指示を入力できる。なお、指示入力部１６は、タッチパネル１３ａのタッチボタンで構成してもよい。この場合、機械的な押しボタン（ハードウェア型スイッチ）を省略できる。
【０１３２】
＜３−３．処理＞
次に、第３の実施の形態における処理手順を説明する。図１５は、第３の実施の形態の処理手順を示す。なお、第１の実施の形態との主な相違点は、携帯端末１がステップＳ１１４の代わりにステップＳ１１４ａの処理を実行する点である。その他の処理は、第１の実施の形態と同様に実行され、また同様に機能する。
【０１３３】
ステップＳ１１３において、コマンド送信部１１ｃは、操作手順にかかる全ての操作コマンドが送信されていないと判断すると（ステップＳ１１３でＮｏ）、ユーザから操作コマンドを送信すべき指示があるか否か判断する（ステップＳ１１４ａ）。すなわち、コマンド送信部１１ｃは、指示入力部１６から制御部１１へ入力信号が送信されているか否か判断する。
【０１３４】
コマンド送信部１１ｃは、ユーザから操作コマンドを送信すべき指示がないと判断すると（ステップＳ１１４ａでＮｏ）、操作コマンドの送信指示があるか否かを再度判断し、以後、送信指示があるまで繰り返し判断を行う。すなわち、携帯端末１は送信指示の待機状態となる。
【０１３５】
一方、コマンド送信部１１ｃは、ユーザから操作コマンドを送信すべき指示があると判断すると（ステップＳ１１４ａでＹｅｓ）、操作コマンドを送信する。この際、コマンド送信部１１ｃは、一連の操作コマンドのうち最先に実行されるべき操作コマンドを一つ送信する。すなわち、コマンド送信部１１ｃは、指示入力部１６へユーザの指示が入力される毎に、操作マニュアルに従った操作手順の順序に従い、複数のコマンドのうちの一のコマンドを車載機器２へ送信する。なお、以後の処理は、第１の実施の形態における処理手順について説明した通りである。
【０１３６】
以上のように、第３の実施の形態は、ユーザによる操作毎に、操作コマンドを携帯端末１から車載機器２へ送信する。これにより、ユーザの所望するタイミングで、電子装置にコマンドを送信して実行させることができる。すなわち、ユーザは、所望するタイミングで操作画面の変更を行うことができるので、特に習熟を望む画面において十分な時間を費やして画面を吟味、分析でき、車載機器２の操作能力の向上を図ることができる。
【０１３７】
また、第３の実施の形態は、例えば、車載機器２の販売店や自動車ディーラー等において、顧客に対し車載機器２の操作説明を行う際に効果的である。操作説明に対する顧客の理解を確認したうえで、操作コマンドを送信して操作画面の変更を行うことができるからである。
【０１３８】
＜４．変形例＞
以上、本発明の実施の形態について説明した。しかし、本発明は上記実施の形態に限定されることはない。様々な変形が可能である。以下、このような変形例を説明する。上記実施の形態及び以下で説明する形態を含む全ての形態は、適宜組み合わせ可能である。
【０１３９】
上記実施の形態では、携帯端末１が、サーバ３からコンテンツを取得し、車載機器２へ操作コマンドを送信した。これに対し、本変形例は、ユーザとサーバ３とが通信を行い、サーバ３が適切な操作コマンドを選択して送信する。図１６は、このような変形例を示す。
【０１４０】
本変形例では、サーバ３にオペレータＯＰを駐在させ、オペレータＯＰがネットワーク４を介して携帯端末１のユーザと通話を行う。オペレータＯＰは、ユーザとの通話を通じ、ユーザの所望する操作内容を把握する。そして、適切な操作コマンドを選択し、携帯端末１に送信する。言わば、オペレータＯＰによる車載機器２の遠隔操作である。
【０１４１】
携帯端末１は、操作コマンドを受信すると、受信した操作コマンドを車載機器２へ送信する。車載機器２が受信した操作コマンドを実行すると、ユーザの所望する画面がディスプレイ２４に表示される。この場合、ユーザは携帯端末１のディスプレイ１３で操作マニュアルを参照する必要がなく、またタッチパネルを操作する手間もない。なお、車載機器２が操作コマンドの受信手段を備え、サーバ３から携帯端末１を介さず直接操作コマンドを受信してもよい。
【０１４２】
他の変形例を説明する。上記実施の形態では、携帯端末１が複数のコマンドを間欠的に車載機器２に送信した。しかし、複数の操作コマンドをまとめて送信してもよい。この場合、操作コマンドを受信した車載機器２が操作コマンドを間欠的に実行すればよい。
【０１４３】
また、上記実施の形態では、ユーザ操作に応じて段階的に操作画面を表示し、所定の操作手順に従った複数のユーザ操作を受け付けた場合に、所定の機能のための操作画面（「ＬＥＤスイッチ照明の設定画面」）を表示した。しかし、所定の機能のための操作画面の表示に代えて、所定の機能を実現してもよい。ユーザの選択の必要のない機能については、所定の機能のための操作画面を表示せず、所定の機能の実現することが簡便である。所定の機能の実現とは、例えば、ナビゲーション機能において自宅を目的地に指定してナビゲーションを実行することである。自宅を目的地に指定する操作においては、目的地が定まっている以上、操作画面を表示する必要はない。
【０１４４】
また、上記実施の形態では、携帯端末１がサーバ３から操作マニュアル及び操作コマンドを含むコンテンツを受信し、車載機器２へ送信した。しかし、車載機器２が予めコンテンツを記憶してもよい。この場合、ユーザが車載機器２を操作して操作マニュアルを表示させる。車載機器２は、操作コマンドを操作手順に従って順次実行し、ユーザの所望する操作画面まで段階的に表示すればよい。
【０１４５】
また、上記実施の形態では、操作マニュアルを表示して、ユーザが指示を入力したが、ユーザが音声で所望する画面の名称を入力してもよい。この場合、携帯端末１がマイクロフォンを備え、音声解析の機能を備えればよい。
【０１４６】
また、上記実施の形態では、車載機器２を車両に搭載される機器として説明した。しかし、車載機器２は、車両に搭載されない機器でもよい。例えば、パーソナルコンピュータや、テレビ、電子レンジ等の家庭用電子機器である。要するに、タッチパネルを備え、所望の画面を表示するまでに複数の操作を要するものであればよい。
【０１４７】
また、上記実施の形態では、ユーザが入力操作を行うものとしてタッチパネルを用いて説明した。しかし、必ずしもタッチパネルを利用する必要はない。すなわち、マウス等の画面上のポインタや、リモコン等の赤外線ポインタ等、ポインティングデバイスで操作するものであればよい。要するに、ディスプレイの特定領域を指定し、階層化された画面を段階的に更新して制御するものであればよい。
【０１４８】
また、上記実施の形態では、携帯端末１と車載機器２とを別体の装置として説明した。しかし、携帯端末１と車載機器２とを一体の装置として構成してもよい。
【０１４９】
また、上記実施の形態では、車載機器２の操作マニュアル及び操作コマンドを携帯端末１へ送信したが、車載機器２に接続されている機器の操作マニュアル等を携帯端末１へ送信してもよい。この場合、サーバ３へ送信される機種データ２５ａは、車載機器２に接続されている機器の種別を示すデータである。
【０１５０】
また、上記実施の形態では、プログラムに従ったＣＰＵの演算処理によりソフトウェアとして各機能が実現されると説明した。しかし、機能の一部は電気的なハードウェア回路により実現されてもよい。
【符号の説明】
【０１５１】
１    携帯端末
２    車載機器
３    サーバ
４    ネットワーク
１０    通信システム
【図１】
2015069428.tif 000003
【図２】
2015069428.tif 000004
【図３】
2015069428.tif 000005
【図４】
2015069428.tif 000006
【図５】
2015069428.tif 000007
【図６】
2015069428.tif 000008
【図７】
2015069428.tif 000009
【図８】
2015069428.tif 000010
【図９】
2015069428.tif 000011
【図１０】
2015069428.tif 000012
【図１１】
2015069428.tif 000013
【図１２】
2015069428.tif 000014
【図１３】
2015069428.tif 000015
【図１４】
2015069428.tif 000016
【図１５】
2015069428.tif 000017
【図１６】
2015069428.tif 000018